(57)【要約】      （修正有）【課題】折り畳みを容易にする伸縮式ゴミ収納庫を提供する。【解決手段】前後に相対して設けられた前枠体１及び後枠体２と、前枠体を構成する辺、及びこの辺に対向する後枠体を構成する辺を連結するパンタ機構３とからなり、このパンタ機構により前枠体及び後枠体が前後方向に伸縮自在に動くようにされており、前枠体にはゴミ袋を投入、取出する扉５が取り付けられており、前枠体及び後枠体によって形成される各面の中で左右両側面及び上面には伸縮及び／又は屈曲可能な保護用の囲い１２が設けられており、上面の伸縮及び／又は屈曲可能な保護用の囲いの前端部を前枠体に固定、後端部を自由端部とし、上面の伸縮及び／又は屈曲可能な保護用の囲いを後枠体に沿って上下スライド収納させる。【選択図】図１
0003109743.tif 000002
【実用新案登録請求の範囲】
【請求項１】
前後に相対して設けられた前枠体及び後枠体と、前伜体を構成する辺、及びこの辺に対向する後枠体を構成する辺を連結するパンタ機構とからなり、このパンタ機構により前枠体及び後枠体が前後方向に伸縮自在に動くようにされており、前枠体にはゴミ袋を投入、取出するための扉が取り付けられており、前枠体及び後枠体によって形成される各面の中で左右両側面及び上面には伸縮及び／又は屈曲可能な保護用の囲いが設けられており、上面の伸縮及び／又は屈曲可能な保護用の囲いの前端部は前枠体に固定されており、保護用の囲いの後端部は自由端部となっており、後枠体に沿ってスライド収納されることを特徴とする伸縮式ゴミ収納庫。
【請求項２】
保護用の囲いの後端部を下方に引っ張るための部材が配設されていることを特徴とする請求項１記載の伸縮式ゴミ収納庫。
【考案の詳細な説明】
【技術分野】
【０００１】本考案は伸縮式ゴミ収納庫に関する。
【背景技術】
【０００２】本出願人の特開２００２−８７５０２号には、扉を取付た正面枠体、背面パネルと背面枠体で構成される背面壁、及び正面枠体を背面壁に対して平行に伸縮動作させる為の左右側面、及び上面のパンタ機構とからなり、正面枠体、背面壁、及びパンタ機構の内部には伸縮及び／又は屈曲可能な保護用の囲いの網ネットが取付られていることを特徴とする伸縮機能を備えたゴミ収納庫が開示されている。このゴミ収納庫は、不使用時には薄い箱状に折り畳むことができるために、街の景観が大幅に改善される。網ネットはゴミ収納庫が折り畳まれるときに、正面枠体と背面壁との間に内側に折り畳まれるようになっている。
【特許文献１】特開２００２−８７５０２号公報
【考案の開示】
【考案が解決しようとする課題】
【０００３】本考案は特開２００２−８７５０２号公報に記載のゴミ収納庫をさらに改善したゴミ収納庫であり、上面の伸縮及び／又は屈曲可能な保護用の囲いを背面壁に沿ってスライド収納することによって容易にあるいは自動的に折り畳みができるようにする。
【課題を解決する為の手段】
【０００４】本考案によれば、前後に相対して設けられた前枠体及び後枠体と、前枠体を構成する辺、及びこの辺に対向する後枠体を構成する辺を連結するパンタ機構とからなり、このパンタ機構により前枠体及び後枠体が前後方向に伸縮自在に動くようにされており、前枠体にはゴミ袋を投入、取出するための扉が取り付けられており、前枠体及び後枠体によって形成される各面の中で左右両側面及び上面には伸縮及び／又は屈曲可能な保護用の囲いが設けられており、上面の伸縮及び／又は屈曲可能な保護用の囲いの前端部は前枠体に固定されており、保護用の囲いの後端部は自由端部となっており、後枠体に沿ってスライド収納される伸縮式ゴミ収納庫が提供される。
さらに、本考案によれば、上記の保護用の囲いの後端部を下方に引っ張るための部材が配設されていることを特徴とする伸縮式ゴミ収納庫が提供される。
【考案の効果】
【０００５】本考案によれば、上面の伸縮及び／又は屈曲可能な保護用の囲いが後枠体に沿ってスライド収納されるので、例えば、この囲いとして合成樹脂製のシートを使用することができる。これによって、雨天の日においても収納されたゴミ袋が濡れることがなく、衛生的であると同時にゴミ袋の収集作業が容易になる。
また、自由端部を下方に引っ張るための部材が配設されている本考案によれば、ゴミの収集が終わると自動的に前枠体が後枠体の方向に引っ張られてゴミ収納庫が自動で畳まれる。このため、ゴミ収納庫を使用しない時は常時畳まれた状態になり場所の有効活用が出来ると共に街の美観が大幅に改善される。
【実施例】
【０００６】以下に本考案を図面に示す実施例に基づいて説明する。【０００７】図１は本考案の斜視図である。前枠体１と後枠体２とが相対して設けられている。前枠体１を構成する上辺、左右側辺と、これに対向する後枠体２を構成する上辺、左右側辺とは、パンタ機構３によって連結されている。パンタ機構３としてはそれ自体公知の装置を用いることができる。
前枠体１及び後枠体２を構成する辺には、パンタ機構３の連結棒の自由端部をスライドさせるために、図２に示すように、断面が概略コの字状のガイド溝を設けることが好ましい。【０００８】パンタ機構３は、図示するように、２本の連結棒が、長さ方向のほぼ真ん中でピンによって連結されており、２本の連結棒の一端部は、前枠体１及び後枠体２に固定されており、他の端部は、前枠体１及び後枠体２に設けられているガイド溝内をスライドして移動する。これによって、前枠体１及び後枠体２が前後方向に伸縮自在に動くようになる。【０００９】前枠体１の上辺及び後枠体２の上辺を連結するパンタ機構３は、上辺が長いときには、図示するように２個設けることが、本考案のゴミ収納庫の引き出し及び折り畳みを円滑にするために好ましい。【００１０】前枠体１には、ゴミ袋を投入、取出するために、下パネル４及び蓋５からなる扉が取り付けられている。下パネル４と蓋５とは、それ自体公知の係止手段、例えば蝶番６で係止されている。蓋５は１個設けてもよく、図示するように複数個設けてもよい。蓋５には、蓋５の開閉用の取手７が設けられている。後枠体２には、図示するように背面壁８を全面にわたって取り付けられてもよく、背面壁８に代えて伸縮及び／又は屈曲可能な保護用の囲いを取り付けても良い。【００１１】前枠体１及び後枠体２によって形成される左右両側面には、伸縮及び／又は屈曲可能な保護用の囲いであるメッシュ金網９が設けられている。メッシュ金網９は、２枚のメッシュ金網が縦方向に配置され、両金網はスプリング蝶番１０で連結されており、さらに、前枠体１及び後枠体２とは、蝶番１１で連結されている。メッシュ金網９は、ゴミ収納庫を折り畳む際に内側に屈曲するようにされている。メッシュ金網９に代えて網ネット又はパネルを用いることもできる。【００１２】前枠体１及び後枠体２によって形成される上面には、伸縮及び／又は屈曲可能な保護用の囲いである網ネット１２が配置されている。網ネット１２の前端部１３は、図２に示すように、前枠体１に固定されており、その後端部１４は自由端部となっており、回転シャフト１５を介して、背面壁８の内面に沿って上下にスライドする。これにより、網ネット１２は、折り畳まれることなく、背面壁８の内面に沿って収納される。【００１３】上面の網ネットに代えて、合成樹脂のシートを使用すると、雨天時にゴミ収納庫内が濡れにくくなり、衛生的であると共に、ゴミの収集が容易になる。【００１４】背面壁８の内面に沿ってスライド収納する網ネット１２の後端部１４には、網ネット１２を下方向に引っ張るための重りとなる金属棒１６が取り付けられていることが好ましい。金属棒１６に代えて、後端部１４と後枠体２の下部との間にスプリングを設けることもできる。このように、網ネット１２を下方向に引っ張る構成にすることにより、ゴミ収納庫のゴミ収集が終了すると、自動的に収納庫が折り畳まれる。
【図面の簡単な説明】
【００１５】
【図１】  本考案のゴミ収納庫の斜視図である。
【図２】  図１のＡ−Ａ線断面図である。
【符号の説明】
【００１６】１は前枠体である。
２は後枠体である。
３はパンタ機構である。
４は扉の下パネルである。
５は扉の蓋である。
６は蝶番である。
７は扉の取手である。
８は背面壁である。
９はメッシュ金網である。
１０はスプリング蝶番である。
１１は蝶番である。
１２は網ネットである。
１３は網ネットの前端部である。
１４は網ネットの後端部である。
１５は回転シャフトである。
１６は金属棒である。
【図１】
0003109743.tif 000003
【図２】
0003109743.tif 000004